(57)【要約】【課題】老年者等であっても容易に文字の送信を行うことのできる線画データ処理及び送信方法、線画データ処理及び送信システム、及び線画データ処理及び送信用プログラムを提供する。【解決手段】線画データ処理及び送信システム１０を、原線画データを取り込む携帯電話１２内のＣＣＤカメラと、取り込んだ原線画データを記憶する携帯電話１２内の原線画データ記憶手段２０と、記憶した原線画データを処理する携帯電話１２内の画像処理手段２２と、処理した処理後線画データを記憶する携帯電話１２内の処理後線画データ記憶手段２４と、処理後線画データをネットワーク通信１４を介して他の携帯電話１２又はＰＣ１６へ送信する携帯電話１２内のデータ送信手段２６とを含んで構成し、携帯電話１２によって取り込んだ線画データを、ネットワーク通信１４を介して他の携帯電話１２又はＰＣ１６へ送信するようにした。【選択図】　図１
2004048131.tif 000002
【特許請求の範囲】
【請求項１】
携帯端末によって取り込んだ線画データを、ネットワーク通信を介して他の端末へ送信する線画データ処理及び送信方法であり、
携帯端末内の視覚センサが、原線画データを取り込むステップと、
該携帯端末が、該取り込んだ原線画データを記憶するステップと、
線画処理手段が、該記憶した原線画データを処理して鮮明化させるステップと、
該携帯端末が、該処理した処理後線画データを記憶するステップと、
該携帯端末が、該処理後線画データをネットワーク通信を介して他の端末へ送信するステップと、
を含む線画データ処理及び送信方法。
【請求項２】
前記携帯端末内に線画処理手段を備え、該線画処理手段が該原線画データを処理し、
及び／又は、サーバー内に線画処理手段を備え、前記携帯端末が該原線画データをサーバーへ送信するステップと、該サーバー内の線画処理手段が該受信した原線画データを処理するステップと、を含む請求項１に記載する線画データ処理及び送信方法。
【請求項３】
前記線画処理手段が、該原線画データを必要データと不要データとに判別するステップと、
該線画処理手段が、該不要データを削除又は変更するステップと、
を含む請求項１又は請求項２に記載する線画データ処理及び送信方法。
【請求項４】
前記携帯端末が、前記原線画データを該携帯端末画面に表示するステップを含む請求項１乃至請求項３のいずれかに記載する線画データ処理及び送信方法。
【請求項５】
前記携帯端末が、前記処理後線画データを該携帯端末画面に表示するステップを含む請求項１乃至請求項４のいずれかに記載する線画データ処理及び送信方法。
【請求項６】
携帯端末によって取り込んだ線画データを、ネットワーク通信を介して他の端末へ送信する線画データ処理及び送信システムであり、
原線画データを取り込む携帯端末内の視覚センサと、
該取り込んだ原線画データを記憶する携帯端末内の原線画データ記憶手段と、
該記憶した原線画データを処理して鮮明化させる携帯端末内の線画処理手段と、
該処理した処理後線画データを記憶する携帯端末内の処理後線画データ記憶手段と、
該処理後線画データをネットワーク通信を介して他の端末へ送信する携帯端末内のデータ送信手段と、
を含む線画データ処理及び送信システム。
【請求項７】
携帯端末によって取り込んだ線画データを、ネットワーク通信を介して他の端末へ送信する線画データ処理及び送信システムであり、
原線画データを取り込む携帯端末内の視覚センサと、
該取り込んだ原線画データを記憶する携帯端末内の原線画データ記憶手段と、
該記憶した原線画データをサーバーへ送信する携帯端末内の原線画データ処理手段と、
該サーバーから処理後線画データを受信する携帯端末内の処理後線画データ受信手段と、
該処理した処理後線画データを記憶する携帯端末内の処理後線画データ記憶手段と、
該処理後線画データをネットワーク通信を介して他の端末へ送信する携帯端末内のデータ送信手段と、
を含む線画データ処理及び送信システム。
【請求項８】
前記携帯端末とデータ送受信可能であり、前記線画処理手段を備えるサーバーを含む請求項７に記載する線画データ処理及び送信システム。
【請求項９】
携帯端末内の視覚センサによって取り込んだ線画データを、ネットワーク通信を介して他の端末へ送信するために、該携帯端末内のコンピューターを、
該取り込んだ原線画データを記憶する原線画データ記憶手段、
該記憶した原線画データを処理して鮮明化させる線画処理手段、
該処理した処理後線画データを記憶する処理後線画データ記憶手段、
該処理後線画データをネットワーク通信を介して他の端末へ送信するデータ送信手段、
として機能させる線画データ処理及び送信用プログラム。
【請求項１０】
携帯端末内の視覚センサによって取り込んだ線画データを、ネットワーク通信を介して他の端末へ送信するために、該携帯端末内のコンピューターを、
該取り込んだ原線画データを記憶する原線画データ記憶手段、
該記憶した原線画データをサーバーへ送信する原線画データ処理手段、
該サーバーから処理後線画データを受信する処理後線画データ受信手段、
該処理後線画データを記憶する処理後線画データ記憶手段、
該処理後線画データをネットワーク通信を介して他の端末へ送信するデータ送信手段、
として機能させる線画データ処理及び送信用プログラム。
【発明の詳細な説明】
【０００１】
【発明の属する技術分野】
本発明は、視覚センサ付きの携帯電話（携帯端末）によって画像を転送するための線画データ処理及び送信方法、線画データ処理及び送信システム、及び線画データ処理及び送信用プログラムに関する。
【０００２】
【従来の技術】
従来から、携帯電話によってメールを他の携帯電話又はＰＣ（パーソナルコンピューター）へ送信することにより、音声以外による意志伝達を行うことができる。このメールを送信する場合、携帯電話のキーを押して文字データを入力する必要がある。しかし、文字データの入力は、小さなキーを押して文字を選択しながら行う必要があり、携帯電話を使い慣れていない者や老人にとっては困難な作業であった。
【０００３】
【発明が解決しようとする課題】
そこで、本発明者は、このような課題の原因を究明してこのような課題を解決するべく、鋭意研究を重ねた結果、本発明に至ったのである。
【０００４】
すなわち、本発明は、携帯電話を用いて音声以外による意志伝達を容易に行える線画データ処理及び送信方法、線画データ処理及び送信システム、及び線画データ処理及び送信用プログラムを提供することを目的とする。
【０００５】
【課題を解決するための手段】
本発明の線画データ処理及び送信方法は、携帯端末によって取り込んだ線画データを、ネットワーク通信を介して他の端末へ送信する線画データ処理及び送信方法であり、携帯端末内の視覚センサが、原線画データを取り込むステップと、該携帯端末が、該取り込んだ原線画データを記憶するステップと、線画処理手段が、該記憶した原線画データを処理して鮮明化させるステップと、該携帯端末が、該処理した処理後線画データを記憶するステップと、該携帯端末が、該処理後線画データをネットワーク通信を介して他の端末へ送信するステップと、を含むことを特徴とする。
【０００６】
本明細書において、線画とは、文字、図形、記号等の線で表わされた画像をいう。鮮明化とは、不要データを削除又は変更すること、明度、彩度若しくは色相の変化量を増大させること、線幅を増大、減少又は均一化すること等をいう。
【０００７】
本発明の線画データ処理及び送信方法は、前記線画データ処理及び送信方法において、前記携帯端末内に線画処理手段を備え、該線画処理手段が該原線画データを処理し、及び／又は、サーバー内に線画処理手段を備え、前記携帯端末が該原線画データをサーバーへ送信するステップと、該サーバー内の線画処理手段が該受信した原線画データを処理するステップと、を含むことを特徴とする。なお、携帯端末が該原線画データをサーバーへ送信するステップの後のステップとして、該サーバーが該処理した処理後線画データを該携帯端末へ送信するステップと、該携帯端末が該処理後線画データを受信するステップとを含んでも、該サーバーが該処理した処理後線画データを他の端末へ送信するステップを含んでも良い。
【０００８】
本発明の線画データ処理及び送信方法は、前記線画データ処理及び送信方法において、前記線画処理手段が、該原線画データを必要データと不要データとに判別するステップと、該線画処理手段が、該不要データを削除又は変更するステップと、を含むことを特徴とする。
【０００９】
本発明の線画データ処理及び送信方法は、前記線画データ処理及び送信方法において、前記携帯端末が、前記原線画データを該携帯端末画面に表示するステップを含むことを特徴とする。
【００１０】
本発明の線画データ処理及び送信方法は、前記線画データ処理及び送信方法において、前記携帯端末が、前記処理後線画データを該携帯端末画面に表示するステップを含むことを特徴とする。
【００１１】
本発明の線画データ処理及び送信システムは、携帯端末によって取り込んだ線画データを、ネットワーク通信を介して他の端末へ送信する線画データ処理及び送信システムであり、原線画データを取り込む携帯端末内の視覚センサと、該取り込んだ原線画データを記憶する携帯端末内の原線画データ記憶手段と、該記憶した原線画データを処理する携帯端末内の線画処理手段と、該処理した処理後線画データを記憶する携帯端末内の処理後線画データ記憶手段と、該処理後線画データをネットワーク通信を介して他の端末へ送信する携帯端末内のデータ送信手段と、を含むことを特徴とする。
【００１２】
本発明の線画データ処理及び送信システムは、携帯端末によって取り込んだ線画データを、ネットワーク通信を介して他の端末へ送信する線画データ処理及び送信システムであり、原線画データを取り込む携帯端末内の視覚センサと、該取り込んだ原線画データを記憶する携帯端末内の原線画データ記憶手段と、該記憶した原線画データをサーバーへ送信する携帯端末内の原線画データ処理手段と、該サーバーから処理後線画データを受信する携帯端末内の処理後線画データ受信手段と、該処理した処理後線画データを記憶する携帯端末内の処理後線画データ記憶手段と、該処理後線画データをネットワーク通信を介して他の端末へ送信する携帯端末内のデータ送信手段と、を含むことを特徴とする。
【００１３】
本発明の線画データ処理及び送信システムは、前記線画データ処理及び送信システムにおいて、前記携帯端末とデータ送受信可能であり、前記線画処理手段を備えるサーバーを含むことを特徴とする。
【００１４】
本発明の線画データ処理及び送信用プログラムは、携帯端末内の視覚センサによって取り込んだ線画データを、ネットワーク通信を介して他の端末へ送信するために、該携帯端末内のコンピューターを、該取り込んだ原線画データを記憶する原線画データ記憶手段、該記憶した原線画データを処理する線画処理手段、該処理した処理後線画データを記憶する処理後線画データ記憶手段、該処理後線画データをネットワーク通信を介して他の端末へ送信するデータ送信手段と、して機能させることを特徴とする。
【００１５】
本発明の線画データ処理及び送信用プログラムは、携帯端末内の視覚センサによって取り込んだ線画データを、ネットワーク通信を介して他の端末へ送信するために、該携帯端末内のコンピューターを、該取り込んだ原線画データを記憶する原線画データ記憶手段、該記憶した原線画データをサーバーへ送信する原線画データ処理手段、該サーバーから処理後線画データを受信する処理後線画データ受信手段、該処理後線画データを記憶する処理後線画データ記憶手段、該処理後線画データをネットワーク通信を介して他の端末へ送信するデータ送信手段と、して機能させることを特徴とする。
【００１６】
【発明の実施の形態】
次に、本発明に係る線画データ処理及び送信方法、線画データ処理及び送信システム、及び線画データ処理及び送信用プログラムの実施の形態について、図面に基づいて詳しく説明する。
【００１７】
図１において、符号１０は、携帯電話１２内に含まれる本発明の線画データ処理及び送信システムであり、主として紙等に書いた文字を線画データとして送信することを目的とする。この線画データ処理及び送信システム１０は、図２に示すように、携帯電話（携帯端末）１２によって取り込んだ線画データを、ネットワーク通信１４を介して他の携帯電話１２又はＰＣ（パーソナルコンピューター）１６へ送信する線画データ処理及び送信システムであり、原線画データを取り込む携帯電話１２内の視覚センサ１８と、取り込んだ原線画データを記憶する携帯電話１２内の原線画データ記憶手段２０と、記憶した原線画データを処理する携帯電話１２内の線画処理手段２２と、処理した処理後線画データを記憶する携帯電話１２内の処理後線画データ記憶手段２４と、処理後線画データをネットワーク通信１４を介して他の携帯電話１２又はＰＣ１６へ送信する携帯電話１２内のデータ送信手段２６とを含んでいる。
【００１８】
なお、本発明の線画データ処理及び送信用プログラムは、携帯電話１２に線画データ処理及び送信システムとして機能させるために携帯電話１２に内蔵されているプログラムである。すなわち、本発明の線画データ処理及び送信用プログラムは、携帯電話１２内のコンピューターを、原線画データ記憶手段２０、線画処理手段２２、処理後線画データ記憶手段２４、データ送信手段２６として機能させるためのプログラムである。
【００１９】
視覚センサ１８は、携帯電話１２の裏側等に内蔵されており、携帯電話１２のキー操作によって原線画データを取り込むことができる。視覚センサ１８の画素数は、１０万画素〜５０万画素程度であり、特に限定されない。
【００２０】
原線画データ記憶手段２０は、視覚センサ１８によって取り込んだ原線画データをそのまま記憶するメモリである。なお、ＣＣＤ（Ｃｈａｒｇｅｄ　Ｃｏｕｐｌｅｄ　Ｄｅｖｉｃｅ）によって得られた電荷のアナログデータをデジタル化してデジタルデータテーブルを作成する処理は、視覚センサ１８で行っても原線画データ記憶手段２０で行っても良い。
【００２１】
線画処理手段２２は、原線画データ記憶手段２０に記憶した原線画データを必要データと不要データとに判別する判別手段２８と、その不要データを削除又は変更する編集手段３０とを備えている。判別手段２８による不要データの判別は、例えば、デジタルデータが一定範囲内である画素又は同一色彩の画素であって、連続する画素が一定画素数以下である場合には不要データと判別する。連続する画素数は、画素数をカウントして決定しても良いが、連続する画素によって形成される形状の輪郭線を閉曲線として、その閉曲線に沿って積分することによる面積計算により決定しても良い。また、一定の色彩の画素部分のデジタルデータを必要データとし、その一定の色彩以外の色彩の画素部分のデジタルデータを不要データとして判別しても良い。携帯電話１２のキー操作によって、黒、赤、緑等を必要データとなる一定の色彩として、指定できるようにしても良い。例えば、黒色を指定して文字を書いた紙を視覚センサ１８で撮影したならば、黒インクで書いた文字や句読点等が必要データとして判別される。また、視覚センサ１８の視野内の最外郭の色彩を不要データとして判別しても良い。
【００２２】
編集手段３０による不要データの削除又は変更は、白色等の一定の色彩に変換すること、又は一定値のデジタルデータに変換すること等により行う。例えば、白色に変換する場合、文字を書いた紙を視覚センサ１８で撮影したならば、文字や句読点等以外の背景や汚れ等の不要データは白色に変換され、文字が鮮明になる。また、編集手段３０が、必要データを誇張させる処理を行っても良い。誇張させる処理は、例えば、連続する画素数を、平面座標におけるＸ軸及びＹ軸の２軸方向、又は斜め方向に、増大させることにより行う。連続する画素数を増大させる場合、文字を書いた紙を視覚センサ１８で撮影したならば、文字の線が太くなり、文字が鮮明になる。
【００２３】
処理後線画データ記憶手段２４は、線画処理手段２２によって処理した処理後線画データを記憶するメモリである。処理後線画データ記憶手段２４は、処理したデータをそのまま記憶しても良いが、送信の容易性を考慮して圧縮、又は送信用にデータ形式変換を行って記憶しても良い。データ送信手段２６は、この処理後線画データ記憶手段２４に記憶された処理後線画データをアンテナ３２を介して送信する。
【００２４】
このような線画データ処理及び送信システム１０を用いて、紙に書いた文字を線画データとして送信する場合について以下に説明することにより、線画データ処理及び送信方法について説明する。なお、文字以外の汚れや不要な線を不要データとして削除又は変更する場合について説明する。
【００２５】
携帯電話１２を用いて手紙文を送信しようとするユーザは、紙に手紙文を記載する。次に、携帯電話１２の裏側の視覚センサ１８によって、携帯電話１２のキー操作により、その紙を撮影して原線画データを取り込む。原線画データを取り込むことにより、図３に示すように、携帯電話画面（携帯端末画面）３４に原線画データ３６が表示される。
【００２６】
次に、携帯電話１２のキー操作により、線画処理手段２２による原線画データ３６の処理が行われ、図４に示すように、処理後線画データ３８が携帯電話画面３４に表示される。線画処理手段２２による原線画データ３６の処理は、判別手段２８が、原線画データに含まれる不要な線４０や汚れ４２を不要データと判別した後、編集手段３０が、この不要データを削除するとともに、手書きの「またメールください」という必要データの文字の線幅を増大させることにより行われる。線画処理手段２２による処理の行われた処理後線画データ３８である「またメールください」という文字は、鮮明に表示される。
【００２７】
次に、携帯電話１２のキー操作により、処理後線画データ３８がデータ送信手段２６を介して他の携帯電話１２等へ送信される。処理後線画データ３８を受信したユーザーは、自己の携帯電話画面３４に、処理後線画データ３８を表示し、手書きの「またメールください」という文字を認識できる。このため、本発明の線画データ処理及び送信システム１０は、通常のメールと異なり、線画データによる文字の送信を行うことができる。
【００２８】
以上、本発明の一実施形態について説明したが、本発明の本発明の線画データ処理及び送信システムは、その他の形態でも実施し得るものである。
【００２９】
例えば、図５に示す線画データ処理及び送信システム５０であっても良い。この線画データ処理及び送信システム５０は、携帯電話１２内の視覚センサ１８と、携帯電話１２内の原線画データ記憶手段２０と、サーバー（自動公衆送信装置）５２内の線画処理手段２２と、携帯電話１２内の処理後線画データ記憶手段２４と、携帯電話１２内のデータ送信手段２６とを含む線画データ処理及び送信システムであり、線画処理手段２２はサーバー５２が備えている。
【００３０】
携帯電話１２内のデータ送信手段２６は、記憶した原線画データをサーバー５２へ送信する原線画データ処理手段としても機能し、携帯電話１２は、サーバー５２から処理後線画データを受信する処理後線画データ受信手段５６を備えている。
【００３１】
一方、サーバー５２は、図６に示すように、携帯電話１２から原線画データを受信する原線画データ受信手段５８と、受信した原線画データを記憶する原線画データ記憶手段６０と、原線画データを処理する線画処理手段２２と、処理した処理後線画データを記憶する処理後線画データ記憶手段６２と、処理後線画データを携帯電話１３へ送信する処理後線画データ処理手段６４とを備えている。このため、原線画データの画像処理はサーバー５２内の線画処理手段２２が行うこととなる。
【００３２】
よって、携帯電話１２に内蔵される本発明の線画データ処理及び送信用プログラムは、携帯電話１２内のコンピューターを、原線画データ記憶手段２０、原線画データ処理手段、処理後線画データ受信手段５６、処理後線画データ記憶手段２４、データ送信手段２６として機能させるプログラムである。また、サーバー５２には、サーバー５２内のコンピューターを、原線画データ受信手段５８、原線画データ記憶手段６０、線画処理手段２２、処理後線画データ記憶手段６２、処理後線画データ処理手段６４として機能させるプログラムが内蔵されている。
【００３３】
この線画データ処理及び送信システム５０は、携帯電話１２からサーバー５２へ原線画データを送信し、サーバー５２において画像処理を行って処理後線画データを携帯電話１２へ送信し、携帯電話１２は処理後線画データを受信して他の携帯電話１２等へ送信する。
【００３４】
また、本発明の線画データ処理及び送信システムは、図７に示す線画データ処理及び送信システム７０であっても良い。この線画データ処理及び送信システム７０は、画像処理を行うプログラムをダウンロード手段７２によってサーバー５２からダウンロードすることにより、携帯端末１２内に線画処理手段２２を形成できるように構成されている。
【００３５】
以上、本発明の実施形態について図面に基づいて説明したが、本発明は図示したものには限定されない。例えば、携帯端末は携帯電話に限定されずモバイル型のコンピューターであっても良い。また、本発明の線画データ処理及び送信システムによって送信する線画データは、文字を表示する線画データに限定されず、地図、図面又は図表等を表示する線画データであっても良い。また、線画処理手段によって必要データに記号又は数字等を付加しても良い。
【００３６】
その他、本発明の技術的範囲には、その趣旨を逸脱しない範囲で当業者の知識に基づき種々なる改良，修正，変形を加えた態様も含まれる。また、同一の作用又は効果が生じる範囲内で、いずれかの発明特定事項を他の技術に置換した形態で実施しても良い。
【００３７】
【発明の効果】
本発明の線画データ処理及び送信方法、線画データ処理及び送信システム、及び線画データ処理及び送信用プログラムによれば、紙に書いた文字を取り込み、画像処理して鮮明にして、他の携帯端末等へ送信することができる。このため、従来のメール送信と異なり、キー操作を最低限にしながらも文字の送信が可能となり、老年者によっても容易に文字による意志伝達が可能となる。また、手書きの文字を送信することができるため、手紙と同じ感覚で意志伝達を行うことができる。また、線画データとして送信するため、地図や図面の送信も容易となる。さらに、取り込んだ線画データについて画像処理を行って送信するため、携帯電話に内蔵される安価でコンパクトな視覚センサによっても鮮明な画像を送信することができる。
【００３８】
また、処理後線画データを携帯端末画面に表示する本発明の線画データ処理及び送信方法によれば、処理後線画データを確認した後に処理後線画データを送信することができる。このため、処理後線画データが不鮮明であった場合には、再度線画処理手段を作動させて画像処理を行うことも可能となる。
【図面の簡単な説明】
【図１】本発明の線画データ処理及び送信システムを示す構成図である。
【図２】図１の線画データ処理及び送信システムを含むインターネットワークを示す図である。
【図３】図１の線画データ処理及び送信システムを使用した携帯電話を示す図である。
【図４】図１の線画データ処理及び送信システムを使用した携帯電話を示す図である。
【図５】本発明の線画データ処理及び送信システムの他の実施形態を示す構成図である。
【図６】図５の線画データ処理及び送信システムに使用するサーバーを示す構成図である。
【図７】本発明の線画データ処理及び送信システムの更に他の実施形態を示す構成図である。
【符号の説明】
１０、５０、７０：線画データ処理及び送信システム
１２：携帯電話（携帯端末）
１４：ネットワーク
１６：ＰＣ（端末）
１８：視覚センサ
２０、６０：原線画データ記憶手段
２２：線画処理手段
２４、６２：処理後線画データ記憶手段
２６：データ送信手段
２８：判別手段
３０：編集手段
３２：アンテナ
３４：携帯電話画面（携帯端末画面）
３６：原線画データ
３８：処理後線画データ
５６：処理後線画データ受信手段
５８：原線画データ受信手段
６４：処理後線画データ処理手段
【図１】
2004048131.tif 000003
【図２】
2004048131.tif 000004
【図３】
2004048131.tif 000005
【図４】
2004048131.tif 000006
【図５】
2004048131.tif 000007
【図６】
2004048131.tif 000008
【図７】
2004048131.tif 000009